Podtech/llm-jp-corpus-v4-ja_patent huggingface dataset:
(57)【要約】【課題】コンクリート打設時に構造スリット１の壁型枠材の両側からレーザー光線５を設置して、側圧による型枠の膨らみを監視することを課題とする。【解決手段】構造スリット１の位置がわかるように表示板２を作り、複数の構造スリット１の上部の水平スリット振れ止め筋３に前記表示板２を取付けて、コンクリート打設時に構造スリット１の位置の把握を可能とする。また、構造スリット１の壁型枠の両側にレーザー光線５を発する機器を各構造スリット１毎に設けて、コンクリート打設時に前記レーザー光線５により、壁型枠材が側面に膨らんでレーザー光線５を遮るかを監視することで施工の不具合を防止できる。【選択図】図１
2015224500.tif 000002
【特許請求の範囲】
【請求項１】
構造スリットの位置がわかるように表示板を作り、複数の構造スリットの上部の水平スリット振れ止め筋に前記表示板を取付けて、コンクリート打設場所が移動して別の構造スリットの上部の振れ止め筋に掛けて転用することを可能とすることを特徴とする構造スリット表示板。
【請求項２】
構造スリットの壁型枠の両側にレーザー光線は発する機器を各構造スリット毎に設けて、コンクリート打設時に前記レーザー光線により、壁型枠材が側面に膨らんでレーザー光線を遮るかを監視することを特徴とする構造スリット監視システム。
【発明の詳細な説明】
【技術分野】
【０００１】
本発明は、建築作業所において、建物のコンクリート打設時にコンクリートの高さに応じて型枠材が、コンクリートの重さにより、側面に膨らむことにレーザー光線を遮ることで、スリット材の位置が外れることを防止する。
【背景技術】
【０００２】
従来は、鉄筋コンクリート構造物の内部またはそれと柱との接合部近傍に埋設される垂直スリット材をコンクリート打設前に設置する作業において、その垂直スリット材を所定位置に支持している。
【先行技術文献】
【特許文献】
【０００３】
【特許文献１】特開２００７−１８６９２５号公報
【発明の概要】
【発明が解決しようとする課題】
【０００４】
壁型枠に固定した目地材とは嵌合した状態で接続されているだけであるから、返し型枠に固定した目地材を保持部材に嵌合される際に、先行型枠側の目地材から保持部材やスリット材本体がずれたり、外れたりする問題があった。
【０００５】
しかも、保持部材と係合する目地材は、それぞれ壁型枠を建て込む前に固定されることから取付位置の精度が悪く、垂直スリット材を設置する位置からずれて取り付けられると、返し型枠側の目地材を保持部材に嵌合させる際に垂直スリット材が型枠に対して傾いてしまうことになる。
【０００６】
そして、打設中のコンクリートの側圧で、構造スリットが受け材から外れて傾くことがある。
これを放置することは、漏水の原因になったりするという課題があった。
【０００７】
本発明は、前記の問題点を解決するためになされたものであって、コンクリート打設時に構造スリットの壁型枠材の両側からレーザー光線を設置して、側圧による型枠の膨らみを監視することを課題とする。
【課題を解決するための手段】
【０００８】
請求項１に記載の発明は、構造スリットの位置がわかるように表示板を作り、複数の構造スリットの上部の水平スリット振れ止め筋に前記表示板を取付けて、コンクリート打設場所が移動して別の構造スリットの上部の振れ止め筋に掛けて転用することが特徴とする構造スリット表示板。
【０００９】
請求項２に記載の発明は、構造スリットの壁型枠の両側にレーザー光線は発する機器を各構造スリット毎に設けて、コンクリート打設時に前記レーザー光線により、壁型枠材が側面に膨らんでレーザー光線を遮るかを監視することを特徴とする構造スリット監視システム。
【発明の効果】
【００１０】
請求項１に記載の発明は、構造スリットの上部に表示板を設けることで、構造スリットの位置が一目でわかり、簡単に取付け可能であり、表示板の転用が容易にできる。
【００１１】
請求項２に記載の発明は、コンクリート打設時は、レーザー光線を適時見ることにより、型枠の状態を監視でき、併せてそこに取り付けてある構造ユニットが外れない等のアクシデントの発生を監視でき、施工の不具合を防止できる。
【００１２】
また、構造スリットが外れるとその是正に労力・時間・コストが非常にかかることになり、外れることを防止することが必要である。
【図面の簡単な説明】
【００１３】
【図１】本発明の実施形態に係る壁型枠スリット断面図である。
【図２】本発明の実施形態に係るレーザー光線による垂直ユニット断面図である。
【発明を実施するための形態】
【００１４】
本実施形態では、構造スリットの上部に表示板を設けることおよび構造スリットの両側からレーザー光線について、図面を用いて説明する。
図１より、壁型枠に構造スリット１を施工した上部に、例えば、樹脂製の布地に「スリット注意」なる文字を前記表示板２に表示する。
【００１５】
この表示板２を構造スリット１の上部の水平スリット振れ止め筋３に前記表示板２を取付けて、構造スリット１の位置が一目でわかり、簡単に取付け可能であり、表示板２の転用が容易にできる。
なお、表示板２は、例えば、「スリット注意」なる文字を表示した面を正面として、裏面の上側にマジックテープ（登録商標）を設けて、前記水平スリット振れ止め筋３を巻くようにして表示板２を設置する。
【００１６】
図２により、構造スリット１を型枠材で施工して、その両側にレーザー光線は発する機器、例えば、レーザーペン４を設置する。
構造スリット１の部分のコンクリート打設するとき、前記レーザー光線５を上部から下部へ発する。
【００１７】
図２では、コンクリート打設を４回に分けて打設している。
第１回目打設により、コンクリートを打った部分が、コンクリートの側圧によって型枠が横に膨らんだりしてレーザー光線５を遮ることで構造スリット１が外れることがないように監視できるようにした。
【符号の説明】
【００１８】
１  構造スリット
２  表示板
３  振れ止め筋
４  レーザーペン
５  レーザー光線
【図１】
2015224500.tif 000003
【図２】
2015224500.tif 000004
(57)【要約】      （修正有）【課題】同一化された支柱に部材を組合わせる事で自由に構造物が作成でき、様々な部材で簡単に組立も分解も出来る固定支柱を提供する。【解決手段】角材１に部材２を固定し、部材２の取付部５の取付け穴６に板を取付けることにより、四面全てに板を取付けることができる支柱である。【選択図】図１
2015224541.tif 000002
【特許請求の範囲】
【請求項１】
全ての柱の面に開閉できる部材（２）を固定することで、全ての面で取付可能な一体とした支柱である。
図１の支柱部材は、例としてダンボール材で構成した支柱です。
【発明の詳細な説明】
【技術分野】
【０００１】  この発明は、図１に部材を取付ける事で全ての面で折り畳んだり開閉できる固定支柱に関するものである。
【背景技術】
【０００２】  従来、柱の面に目的の為設計に合わせて部材を取り付ける構造体である。
【先行技術文献】
【０００３】
【特許文献１】
【非特許文献１】
【発明の概要】
【発明が解決しようとする課題】
【０００４】  従来、構造物の支柱が構造物と一体となっているもので、専門職に委ねるのが一般的である。
本発明は、柱の面に取付部を固定し、素人でも簡単に組立てたり分解が出来る支柱である。
【課題を解決するための手段】
【０００５】  図１の角材に、図２の部材を図３のごとく固定し、図４のごとく開閉でき、図５のごとく取付できる状態で図６の取付け穴に図７の板を取付け図９のごとく四面全てが取付できる支柱である。
本発明は、以上の構成よりなる開閉固定支柱である。
【発明の効果】
【０００６】  柱状に全面取付可能な部材を固定した支柱で、他の部材と固定したり分解もでき、材料も鉄材・木材・その他幅広く、目的に応じて組合わせも自由に選択できるため、新しい構造物が発見できる支柱である。
【図面の簡単な説明】
【０００７】
【図１】  本発明の斜視図である。
【図２】  本発明の平面図である。
【発明を実施するための形態】
【０００８】以下、本発明を実施するための形態について説明する。
角材（１）の面に開閉可能な部材（２）を対角に（３）のごとく固定する事で（４）のごとくＭ型の状態やＬ型の状態になり（５）のごとく全ての面で取付部となり、様々な構造物として、固定も分解もできる支柱である。
【符号の説明】
【０００９】１  角材
２  部材
３  固定部
４  開閉部
５  取付部
６  取付穴
７  板
８  取付穴
９  取付部
【図１】
2015224541.tif 000003
【図２】
2015224541.tif 000004
(57)【要約】【課題】  従来技術のルーバーは、固定形は着脱および上下左右移動が出来ない。また、ルーバー付雨戸は、窓際で使用するため、直射日光を遮っても窓際の輻射熱は伝導するので室内温度は高くなり、室外の間接的な外光が遮られるので室内は暗くなる。【解決手段】  ルーバーを窓と離れた室外に設置し、着脱および上下左右移動を実施するるために、上階スラブ下面沿いに溝形材の溝を下向きに、ベランダの壁高欄沿いに溝形材の溝を上向きに平行設置する。また、ルーバーが上下左右移動するために、上記、平行溝形材の溝形断面内に嵌合できる断面寸法の溝形材で枠組した枠内にルーバーを組立てる。次に、上階スラブ下面およびベランダの壁高欄に設置した、平行で上下に向合った溝形材設置間に、溝形材で枠組したルーバーを嵌合取付けする。以上の発明により、季節に応じたルーバーの着脱および上下左右移動が可能となり、直射日光に対応した日よけ対策ができる室外着脱式移動ルーバーとなる。【選択図】図１
2015224537.tif 000002
【特許請求の範囲】
【請求項１】
ルーバーを窓と離れた室外に設置し、ルーバーの着脱および上下左右移動を特徴とする室外着脱式移動ルーバー。
【請求項２】
室外の上階スラブ下面とベランダの壁高欄および高欄設備との間に、ルーバーを後付け設置できることを特徴とする、請求項１記載の室外着脱式移動ルーバー。
【発明の詳細な説明】
【技術分野】
【０００１】  この発明は、窓と離れた室外で用いるルーバーの設置に関する。
【背景技術】
【０００２】  従来のルーバーは、建物に固定して着脱及び移動が出来ないルーバーと、窓際で使用するブラインドを兼ねたルーバー付雨戸である。
【先行技術文献】
【特許文献】
【０００３】
【特許文献１】  特許公開  ２０１０−２０９６１４号公報
【非特許文献】
【０００４】
【非特許文献１】  不二サッシ株式会社  ルーバー付雨戸
【発明の概要】
【発明が解決しようとする課題】
【０００５】  このような従来技術のルーバーは、固定形は着脱および上下左右移動が出来ない。又、ルーバー付雨戸は、窓際で使用する為、直射日光を遮っても窓際の輻射熱は伝導するので室内温度は高くなり、更に、窓際で使用するため室外の間接的な外光が遮られるので室内は暗くなる。そこで、この発明は直射日光を遮り輻射熱を減少させて、室外の間接的な外光を遮らない効果と、通風に対しても窓の開閉を自由に提供することを課題とする。
【課題を解決するための手段】
【０００６】  以上の課題を解決するために、第一発明は、ルーバーを窓と離れた室外に設置し、ルーバーの着脱および上下左右移動を特徴とする、室外着脱式移動ルーバーである。
第二発明は、室外の上階スラブ下面とベランダの壁高欄または高欄設備との間に、ルーバーを後付け設置できることを特徴とする、室外着脱式移動ルーバーである。
【発明の効果】
【０００７】  第一発明は、窓と離れた室外にルーバーを設置するので、直射日光が当るルーバーから窓への輻射熱が減少し室内温度が上がりにくく、間接的な外光を遮らないので室内が暗くならない。又、ルーバーの着脱および遮光の必要箇所へ移動が出来るため、季節に応じたルーバーの着脱と直射日光に対応した日よけ対策が可能となる室外着脱式移動ルーバー。
第二発明は、窓際から離れた室外の上階スラブ下面沿いに溝形材の溝を下向きに、ベランダの壁高欄または高欄設備沿いに溝形材を上向きに平行設置し、溝形材の平行部材間をルーバーの上下左右移動または必要な時に着脱できることを特徴とする、室外に後付け設置ができる室外着脱式移動ルーバー。
【図面の簡単な説明】
【０００８】
【図１】この発明の、ルーバーを異なる場所に移動した実施形態を示す、室外着脱式移動ルーバーの正面図である。
【図２】この発明の、室外着脱式移動ルーバーを設置し、側面から見た断面図である。
【発明を実施するための形態】
【０００９】以下、この発明を図の具体例を用いて詳細に説明する。
【実施例１】
【００１０】この発明の実施の形態を、図１に示す。
この図は、室外の上階スラブ下面１０沿いに溝形材５を下向きに、ベランダの壁高欄８沿いに溝形材５を上向きに平行設置し、ルーバー溝形枠３内側にルーバー１を取付けて、下向き溝形材５と上向き溝形材５との間にルーバー溝形枠３を嵌合させた状態で、上下左右移動している実施の形態である。
【符号の説明】
【００１１】  １  ルーバー
２  ルーバー着脱金具
３  ルーバー溝形枠
４  ルーバー溝形枠着脱金具
５  溝形材
６  溝形材固定金具
７  ベランダの手摺高欄
８  ベランダの壁高欄
９  床面
１０  上階スラブ下面
１１  窓ガラス
１２  窓枠
【図１】
2015224537.tif 000003
【図２】
2015224537.tif 000004
(57)【要約】【課題】  従来の地震シェルターは地震発生時にのみ使用する物でその他に必要は少ないことから、狭い部屋とか大家族の家庭では邪魔な存在とされることが多かった。【解決手段】  本発明はシェルター上壁下面２に掴まり棒３、３´を設けたもので、人が中に避難の際に図５に示す如く両手で掴まり棒３、３´にしっかり掴まり体を支える事で不安が抑えられ、又激しい揺れにも外へ放り出されること無く安心安全とした。更に日頃は掴まり棒３、３´に図６に示す如く、背広やシャツ、ベルト、ネクタイなど衣服等を整理、保管可能としたことで便利となり身近に必要な存在となした箪笥シェルターである。【選択図】図２
2015224539.tif 000002
【特許請求の範囲】
【請求項１】
上壁下面に掴まり棒３．３′を設けたことで、日頃箪笥としても使用できる如くした箪笥シェルター。
【発明の詳細な説明】
【技術分野】
【０００１】  この発明は大地震の際に、人が中に避難するもので、箱状を呈したその上壁下面に、掴まり棒３、３′を設けたことにより、日頃は箪笥の如く使えて便利、いざ地震発生の際は掴まり棒３、３′によって、安全安心の避難が出来る如くした箪笥シェルターに関する。
【背景技術】
【０００２】  従来、一般家庭において地震から身を守る目的の地震シェルターは、地震発生時にのみ使用する物だったから、狭い部屋とか大家族の家庭では日頃は邪魔な存在の場合が多かった。その為に昨今、巨大地震発生が予想されながらも普及しない原因の一つでもあった。
又従来の地震シェルターは、地震発生でその中に避難の際に、大揺れによって頭や肩等の体を内壁に打ちつけるなどの危険があった。
【発明が解決しようとする課題】
【０００３】  以上のことから地震シェルターを地震発生時に使用は勿論、日頃の生活に於いて邪魔ではなく必要な存在となし、又シェルター内避難中の大揺れによる不安と怪我の防止が課題であった。
【課題を解決するための手段】
【０００４】  本発明はその課題を解決するためのもので、以下にその一実施例について説明すれば、
イ、図１は本発明箪笥シェルター正面図であって、その構成は図２に示す如く、上壁下面２に掴まり棒３、３′を適宜数設けた上壁１と、底壁７、観音開き戸４を有する前壁５、後壁６と、左右側壁によりなるもので、頑丈な造りとする為素材によって重量が大となる場合はビス、ボルト等による組立て分解可能とする。
ロ、大きさは少なくとも大人二人が中で向かい合って座れる程度が望ましく、例えば大人二人用としておおよそ高さ９０ｃｍ、巾１３０ｃｍ、奥行き７５ｃｍが理想。
【発明の効果】
【０００５】イ、本発明の特徴とする上壁下面２に設けた掴まり棒３、３′は、地震で大揺れの際、中に避難の人が本発明の内壁に頭や肩等を打ちつけないように、しっかり掴まって体を保持する目的のもので、これにより縦揺れや横揺れが激しい場合でも、掴まり棒３、３′に両手でしっかり掴まることで不安が抑えられ、又大揺れで外に放り出される危険も少なく安全。
ロ、図２に示す如く掴まり棒３、３′を設けた状態の場合、図５に示す如く掴まり棒３、３′に背広やシャツの他、ベルト、ネクタイ等々の衣服等を吊るして整理保管する箪笥としての利用が出来る。
ハ、従来の地震シェルターは地震発生時にのみ必要とする物だったから、場合によっては邪魔な存在とされることが有ったが、本発明によれば身近に置くと便利なことから、邪魔ではなく日頃必要な存在となり、これによりシェルター普及の一助として期待が出来、その普及によって、大地震での犠牲者の８０％以上とされる圧死の数を抑えられる。
ニ、本発明に背広などの衣服等が多く吊るされている状態において地震発生の場合、その衣服等を構うことなく押し込んで中に入れば、その衣服等が頭や肩、腰に被さる如くなり、激震での大揺れによる体と本発明内壁との緩衝役を果たす効果が期待出来る。
ホ、本発明を角パイプと鉄板で試作し公的試験場で荷重テストの結果２０トンに耐えることが確認出来た。これによって本発明によれば木造の場合で二階建ての大家が崩落し被さる如くなっても本発明に２０トン以上の荷重が加わることは考えられないから中は安全。
ヘ、本発明は分解組立て可能型とすれば、単身住まいの人や女性でも移動、運搬が一人でも可能で便利。
ト、親や大人が不在で子供達だけの屋内で巨大地震発生の場合は、恐怖でパニックになるは必定、最悪は子供達の圧死も考えられる。
本発明によればこうした子供や一人住まいの高齢者などの弱者の命を守れる。
【図面の簡単な説明】
【０００６】
【図１】本発明の正面図
【図２】上壁下面を示す斜視図
【図３】本発明の平面図
【図４】Ａ−Ａ′線断面図
【図５】Ａ−Ａ′線断面図にて掴まり棒３、３’に掴まる様子を示す図
【図６】Ａ−Ａ′線断面図にて背広を吊るした状態を示す図
【符号の説明】
【０００７】１、上壁    ２、上壁下面    ３、３’掴まり棒    ４、観音開き戸
５、前壁    ６、後壁    ７、底壁    ８、背広
【図１】
2015224539.tif 000003
【図２】
2015224539.tif 000004
【図３】
2015224539.tif 000005
【図４】
2015224539.tif 000006
【図５】
2015224539.tif 000007
【図６】
2015224539.tif 000008
(57)【要約】      （修正有）【課題】ウエットティッシュなど、連結、切離し、使用する収納器のふたに関するものであり、ティッシュを開口部から引き出すとき、乾燥を防止するため、ふたの開口部の切り口が非常に小さく狭い。これまでの収納容器のふたを工夫し取り出し易く、乾燥を防ぎふた上部に設けた磁石により瞬時に密閉するふたを提供する。【解決手段】ウエットティッシュ収納容器１にウエットティッシュ収納部２と上ふた部３を設け、引き出したウエットティッシュの収納部４は、つまみ内部空間に取り出し口ティッシュ保留部で、ウエットティッシュ取り出し部５に、切り込みと開口部を設け、ウエットティッシュ取り出し部５は、磁石で合一するふたで、上ふた部に磁石８ａ、磁石８ｂを設けたことを特徴とするウエットティッシュ収納容器。【選択図】図１
2015224082.tif 000002
【特許請求の範囲】
【請求項１】
ウエットティッシュ収納容器（１）にウエットティッシュ収納部（２）と上ふた部（３）を設け、引き出したウエットティッシュ（９）の収納部（４）は、つまみ内部空間に取り出し口ティッシュ保留部で、ウエットティッシュ取り出し部（５）に、切り込み（６）と開口部（７）を設け、ウエットティッシュ取り出し部（５）は、磁石で合一するふたで、上ふた部に磁石（８ａ）、磁石（８ｂ）を設けたことを特徴とするウエットティッシュ収納容器。
【発明の詳細な説明】
【技術分野】
【０００１】  本発明は、ウエットティッシュなど、連結、切離し、使用する収納器のふたに関するものであり、ティッシュを開口部から引き出すとき、乾燥を防止するため、ふたの開口部の切り口が非常に小さく狭い。
これまでの収納容器のふたを工夫し取り出し易く、乾燥を防ぎ、ふた上部に設けた磁石により瞬時に密閉するふたに関するものである。
【背景技術】
【０００２】  従来、ウエットティッシュ収納容器のふたの取り出し口は、乾燥を防ぐため、極力狭く、切り込みは小さく、容器素材に切り込みを入れてあるため、スムーズにウエットティッシュが引き出せず、急いで使うときは、大きなふたをねじりながら開け、ティッシュを引き出すため、折角設置してあるにもかかわらず、使うことをあきらめてしてしまう心理的なものがあった。
【先行技術文献】
【特許文献】
【０００３】
【特許文献１】  特開２０１２−１９２９６２号公報
【特許文献２】  特開平９−１０３３８８号公報
【発明の概要】
【発明が解決しようとする課題】
【０００４】  従来のウエットティッシュは、手指の消毒、食べこぼしや外出時、たとえば、車の中でのおしぼりの必要に備えて常備してあるにもかかわらず、手間がかかり、使用をためらってしまうことが多かった。
【課題を解決するための手段】
【０００５】  ウエットティッシュ収納容器（１）ウエットティッシュ収納部（２）上ふた部（３）を設け、引き出したウエットティッシュ（９）の収納部（４）つまみ内部空間に取り出し口ティッシュ保留部で、ウエットティッシュ取り出し部（５）は、磁石で合一するふた上ふた部に設けた磁石（８ａ）上ふた部に設けた磁石（８ｂ）により開閉密着により内部乾燥二重に保護する。
引き出したウエットティッシュの収納部（４）により常に引き出しティッシュ口が用意されているのでこれまでちぎれて大ふたを開けて角度小さな切り込みへ差し入れティッシュの引き出し口を確保する必要がない。
【発明の効果】
【０００６】  引き出したウエットティッシュの収納部にキャラクター、アクセサリー、デザインにて楽しく広い巾の人達に、部屋のムードに合った、実用装飾になる。
子供や高齢者、病人には、日常これを素早く使える。
育児中の人、高齢者、身体障害者やこれに関わる方が常に常備して必要時には素早く収納容器のふたのつまみを瞬時に開けて、内容物のティッシュ先端を引き出し口からスルスル引き出すための大きな取り出しの出易い開口部とソフト材に乾燥をシャットアウトする切り込みが柔軟にティッシュを通過させて、必要量を取り出し、後は磁石ふたが密閉状に瞬時に閉塞してつまみ、比較的に取り出し過ぎたティッシュが留められ、次の引き出し口が容易である。
手間隙安心でいつでも使用できるため、常備してあっても心理的不便さで使えなかった不便を解決できる。
【発明を実施するための形態】
【０００７】  以下、本発明の実施の形態について説明する
（イ）ウエットティッシュ収納容器（１）にウエットティッシュ収納部（２）と上ふた部（３）を設ける。
（ロ）引き出したウエットティッシュ（９）の収納部（４）は、つまみ内部空間に取り出し口ティッシュ保留部である。
（ハ）ウエットティッシュ取り出し部（５）に、切り込み（６）と開口部（７）を設ける。
（ニ）ウエットティッシュ取り出し部（５）は、磁石で合一するふたで、上ふた部に磁石（８ａ）、磁石（８ｂ）を設け、開閉密着により内部乾燥二重に保護する。
（ホ）引き出したウエットティッシュの収納部（４）により常に引き出しティッシュ口が用意されているので、これまでちぎれて大ふたを開けて角度小さな切り込みへ差し入れティッシュの引き出し口を確保する必要がない。
以上のように構成されたウエットティッシュ収納容器。
【図面の簡単な説明】
【０００８】
【図１】  本発明のウエットティッシュ収納容器の正面図である。
【図２】  本発明のウエットティッシュ収納容器の一部切り欠いた状態を示した断面図である。
【図３】  本発明の使用状態の一例を示した説明図である。
【符号の説明】
【０００９】    １    ウエットティッシュ収納容器
２    ウエットティッシュ収納部
３    上ふた部
４    引き出したウエットティッシュの収納部
５    ウエットティッシュ取り出し部
６    取り出し部に設けた切り込み
７    取り出し部に設けた開口部
８ａ  上ふた部に設けた磁石
８ｂ  上ふた部に設けた磁石
９    ウエットティッシュ
【図１】
2015224082.tif 000003
【図２】
2015224082.tif 000004
【図３】
2015224082.tif 000005
(57)【要約】      （修正有）【課題】未使用状態の歯みがきチューブを取り付け、片手で絞る操作のできる容器を提供する。【解決手段】材質を金属として重量感をもたせ、チューブ支え部３によって、未使用状態のチューブを取り付けることができる。ローラー６によって送りこまれたチューブはチューブガイド７に巻き込まれて収容される。ダイアル４を片手で回すことにより、チューブから歯みがきを絞り出す。その際、チューブ挿入口２の突起部５により、最後まで絞り切ることができる。【選択図】図１
2015224083.tif 000002
【特許請求の範囲】
【請求項１】
材質を金属として重量感をもたせたうえに、チューブ支え部によって、未使用状態のチューブを取り付けることを可能としたチューブ絞り器。
【請求項２】
片手で操作することを可能とした請求項１のチューブ絞り器。
【請求項３】
突起部を設けることによって、内容物を最後まで絞り切ることを可能とした請求項１のチューブ絞り器。
【発明の詳細な説明】
【技術分野】
【０００１】本発明は、チューブ歯磨きの効率的な使用方法に関する。
【背景技術】
【０００２】従来のチューブ絞り器は、プラスッチ製の小型・軽量なものがある。
【発明の概要】
【発明が解決しようとする課題】
【０００３】小型・軽量の絞り器では、ある程度チューブを使用し重量が減ってから器機に取り付けなければならない。
また、両手を使って使用することを前提としている。
【課題を解決するための手段】
【０００４】本発明は、材質を金属として重量感をもたせたものである。【０００５】重量感をもたることに加え、チューブ支え部によって、未使用状態のチューブを取り付けることができる。
また、器機を片方の手で保持しなくてもダイアルを回すことができる。【０００６】また、チューブ挿入口の突起部によって最後まで絞り切ることができる。【０００７】ローラーによって送りこんだチューブは、チューブガイドによって巻き込んで収納される。
【図面の簡単な説明】
【０００８】
【図１】本絞り器を正面斜め上から見た外観図
【図２】本絞り器を横から見た断面図
【図１】
2015224083.tif 000003
【図２】
2015224083.tif 000004
(57)【要約】      （修正有）【課題】係船作業の簡易化と安全性向上を図り、かる船底への海中水生生物の付着を防止できる係船装置を提供する。【解決手段】平面浮体１を船体に応じて複数ロープでつないで設置し、船を係船する際の船底との摩擦でブレーキをかけて所定位置に停船させる。これにより、強風等が吹いても船位が保持され、一人でも余裕を持って安全に係留作業ができる。同時に、平面浮体１と船底の摩擦を利用し、船底の水性生物を除去するとともに、密着効果と摩擦効果で水生生物の発生を抑制し、船速を維持し、燃費を抑える。また、浮力の大きな発泡樹脂素材の平面浮体はそれ自体に水生生物が付着しても沈まないのでメンテナンスが容易。初期投資も維持費も安い。【選択図】図１
2015224018.tif 000002
【特許請求の範囲】
【請求項１】
平面浮体を利用した船体静止装置
【請求項２】
平面浮体を利用した船体清掃保護装置
【請求項３】
平面浮体を利用した船体清掃保護装置を利用したドライブカバーおよび船側カバー
【発明の詳細な説明】
【技術分野】
【０００１】この発明は、船舶の係船時の安全停止と、船底の清掃・保全するための浮体装置に関する。
【背景技術】
【０００２】▲１▼従来係留作業時の船舶の位置保全については中型船以上に装備されることがあるスラスターなどの高価な航行補助装置しかなかった。
▲２▼船底に付着する水性生物からの船底の保全装置については、シート状のものが下記の通り考案されているが、取り外し、取り付けに時間がかかり、またそのシート自体に浮力がないため、シートに水性生物が多量に付着し、シートが沈んだり、沈むことにより船体とシートの間に水が入り水生生物が船底に付着し、水生生物が発生しやすい春から秋では設置して数か月で船底保護に支障がでるためシートそのものを定期的に引き上げ多大な労力を払い、水性生物を除去する必要性があった。
また、船体をカバーする浮力のあるラバー状のシートの考案もあるが、船体の形状、大きさはまちまちで、ぴったりした保護ラバーシートを要望に応じて作成することは大変高額で実用性が低い。
【先行技術文献】
【特許文献】
【０００３】
【特許文献１】特願２００１−６５９６７
【特許文献】
【０００３】
【特許文献１】特願平１１−３２３０９８
【０００３】
【特許文献１】実開平７−４２９２
【発明の概要】
【発明が解決しようとする課題】
【０００５】▲１▼係船時に船体を楽に安全に静止させ、係留作業の簡易化を図る。
船を岸壁等に係留する場合、目的位置に船体を停止させようとしても、風や波、潮流の影響を受け強風時や潮流等の水流が早い時には、船体を係船ロープに固定する前に流され、岸壁や周囲の船舶などに衝突の危険があり、とても危険な作業だった。
また、船首から岸壁に向かい係船位置に移動し目的位置に停止する際も、前進・後進や船速調整に経験が必要で、船首が岸壁に衝突することもあった。
▲２▼水性私物からの船体汚損の防止を楽に安価に実現する。
陸上保管でない限り、水生生物の発生により船底は汚損され、船速の低下、燃費の悪化、機関の故障の危険性があった。
【課題を解決するための手段】
【０００６】以上の課題を解決するために、
▲１▼平面的な浮体を船の形状、大きさに合わせて係船希望位置の水面に複数枚ロープ等で設置し、平面浮体と船底との摩擦力により船体を希望位置に停止させ利用にする。
▲２▼また、平面浮体の上を船体が通過する際、船底に付着する水生生物を取り除く。
▲３▼係留してあるときも平面浮体と船底が密着させることで水生生物の付着を防ぐ。
▲４▼係留してあるときも船体は風等で動くので、平面浮体が船底を摩擦しながら移動するため、より広範囲の船底を自然に清掃し船底状態を保全させる。
平面浮体は、１メートル×２メートル程度のＥＶＡ等の樹脂発泡素材を複数枚使用する。
ＥＶＡ素材は比較的安価で、摩擦に耐え、浮体そのものの下面に水性生物が付着しても容易に浮力を損なわない。また、船体の形状や大きさに枚数や並べ方を変えるだけで容易に設置できる。
▲５▼平面浮体を利用し、やはり水性生物が付着するドライブカバーや船側カバーを設置し、水性生物の発生抑制を行う。
【発明の効果】
【０００７】▲１▼一人で操船する場合でも、風、水流等の条件にかかわらず安全な係船作業が操船技量の劣る船長にもできる。
▲２▼船を出し入れするたびに意図せずに平面浮体と船底の摩擦で船底清掃ができる。
▲３▼係留しているだけでも船体が動くたびに自然に船底清掃ができる。
▲４▼従来の船体保護シートはシート自体に水生生物がつくため１年に数度陸揚げして清掃する必要があり、労力は大変なもので、数年でシートも劣化し交換が必要だった。この方式であれば労力と費用を削減することができ、シートの定期的な廃棄も不要で環境にも優しい。
▲５▼安価な小規模発泡素材の組み合わせであらゆる大きさの船に利用でき、浮力が大きな平面浮体は一度設置するだけでメンテナンスはほとんどいらないので初期投資と維持コストが大変低い。
【図面の簡単な説明】
【０００８】
【図１】この発明の平面浮体設置図である。（使用時側面）
【図２】この発明の平面浮体設置図である。（使用時正面）
【図３】この発明の平面浮体設置図である。（俯瞰）
【図４】この発明の平面浮体設置図である。（使用時俯瞰）
【発明を実施するための形態】
【０００９】
【００１０】「実施形態の効果」
「他の実施形態」
【符号の説明】
【００１０】１  平面浮体
２  浮体固定ロープ
３  ドライブカバー
４  船側カバー
【図１】
2015224018.tif 000003
【図２】
2015224018.tif 000004
【図３】
2015224018.tif 000005
【図４】
2015224018.tif 000006
(57)【要約】【課題】運転者が交差点で左折、右折時後方から来るバイク、自転車等を巻き込む事故を減らすドアミラーを提供する。【解決手段】ドアミラーとハンドルを連動させて左折、右折時に道路後方が良く目視できるようにしたドアミラーを特徴とする。【選択図】図３
2015224019.tif 000002
【特許請求の範囲】
【請求項１】
左折、右折時ウインカーを点灯させるとスイッチの役目をしてハンドルを廻すとハンドル軸に接続されたコントローラー等により連動してドアミラーのミラー部が内蔵されたモーター、ウオームねじ等により［図２］の矢印のように少しずつ、ハンドルと反対方向に回転し運転者が常に道路後方が曲り終るまで、ミラー部に映し出され目視できる様に動く。ハンドルを戻すとコントローラーが逆の動きをして、ミラー部も元の位置に戻りスイッチが切れる。ハンドルと連動してドアミラーが動く動作に関する技術、構造のすべてである。
【請求項２】
ナビモニター装着車は、ドアミラーに内蔵されたレンズを左折、右折時にウインカーを点灯させた時だけスイッチが入り、ハンドル軸に接続されたコントローラーにより、ハンドルと連動してレンズをドアミラーに内蔵されたモーター、ウオームねじ等によりハンドルを廻すと少しずつハンドルと反対方向に回転し道路後方を曲り終るまで、ナビモニターに映し出すようにする。ハンドルを戻すとコントローラーが逆に動きレンズも元に戻りスイッチが切れて元のナビモニター画面にかわる。ハンドルと連動してレンズを動かしてナビモニターに映し出す方法に関する技術、構造のすべてである。
【発明の詳細な説明】
【技術分野】
【０００１】この発明はドアミラーのミラー部、ドアミラーに内蔵されたレンズがハンドル軸に取り付けられたコントローラーと連動してハンドルを廻すとハンドルと逆回転方向に動くドアミラーに関するものです。
【背景技術】
【０００２】従来のドアミラーは運転者がセットしたままになっている。
【発明の概要】
【発明が解決しようとする課題】
【０００３】従来のドアミラーはセットしたままなので、運転中交差点等で左折、右折時、後方から来るバイク、自転車等が目視しにくいので巻き込み事故が多発してしまう。本発明は以上の欠点をなくす為にされたものです。
【課題を解決する為の手段】
【０００４】ドアミラーに内蔵されたモーター、ウオームねじ等がハンドル軸にコントローラー等を取り付けられウインカーを点灯時にスイッチが入り、ハンドルを廻すとミラー部がハンドルと逆回転方向に動きハンドルを戻すとコントローラーにより逆の動きをし、ミラー部が元の位置に戻りスイッチが切れる動きをするドアミラーである。又ドアミラーに内蔵されたレンズをウインカー点灯させた時だけスイッチが入り、ハンドル軸に接続されたコントローラーによりハンドルと連動して内蔵されたモーター、ウオームねじ等により少しずつ動かし道路後方をナビモニターに映し出すようにする。ハンドルを戻すとコントローラーが逆に動きレンズも元に戻りスイッチが切れて最初のナビモニター画面に戻る。
【発明の効果】
【０００５】運転中左折、右折時ウインカー点灯しスイッチが入りドアミラーがハンドルを廻すと連動して同時にミラー部が動き道路後方が曲がるまで目視でき、またドアミラーに内蔵されたレンズにハンドルと連動してレンズが動き道路後方が曲がるまでナビモニターに映し出される為、２つの手段でバイク、自転車等巻き込む事故を少なくすることができ、交通事故を減らす貢献にもなる。
【発明を実施するための最良の形態】
【０００６】以下本発明を実施するための最良の形態について説明する。ドアミラーにモーター、ウオームねじ等内蔵し、ウインカーを点灯したときにスイッチが入りハンドルの軸にコントローラー等を取り付けられていて、ハンドルと連動されて、ハンドルを廻すと同時にミラー部が［図２］の矢印ように少しずつハンドルと逆回転方向に動き、これにより後方の道路がドアミラーで目視が出来る。ハンドルを戻せばコントローラーにより逆の動きをするので、ミラー部が元の位置に戻りスイッチが切れるドアミラー。ナビモニター装着車にはドアミラーに内蔵されたレンズをウインカー点灯させた時にだけスイッチが入り、ハンドル軸に接続されたコントローラーによりハンドルと連動してレンズをドアミラーに内蔵されたモーター、ウオームねじ等によりハンドルを廻すと少しずつハンドルと反対方向に回転し道路後方をナビモニターに映し出し、ハンドルを戻すとコントローラーが逆に動きレンズも元に戻りスイッチが切れて最初のナビモニター画面に戻る。この二つの方法が最良の形態である。
【図面の簡単な説明】
【０００７】
【図１】  本発明の平面図
【図２】  本発明のドアミラーの拡大図（ミラー部は上から見ている）
【図３】  本発明の配線構造図
【符号の説明】
【０００８】（１）      ハンドル
（２）      ドアミラー（左側）
（３）      ドアミラー（右側）
（４）      ウインカー
（５）      ハンドル軸
（６）      コントローラー
【図１】
2015224019.tif 000003
【図２】
2015224019.tif 000004
【図３】
2015224019.tif 000005
(57)【要約】      （修正有）【課題】安全に香をたくことができる香立を提供する。【解決手段】円形椀状で上側に向けて開口する椀部１を有し、椀部１の上端周縁の円周上に、複数の略三角形の装飾片２を並べて形成してあり、椀部１の中央に、略円錐形の香の底面部が係止する係止部３を設けてあり、椀部１と装飾片２と係止部３は、アルミニウム製で一体に形成してあり、水に浮かぶものである。【選択図】図１
2015008737.tif 000002
【特許請求の範囲】
【請求項１】
円形椀状で上側に向けて開口する椀部（１）を有し、椀部（１）の上端周縁の円周上に、複数の略三角形の装飾片（２）を並べて形成してあり、椀部（１）の中央に、略円錐形の香（４）の底面部が係止する係止部（３）を設けてあり、椀部（１）と装飾片（２）と係止部（３）は、アルミニウム製で一体に形成してあり、水に浮かぶものであることを特徴とする香立。
【発明の詳細な説明】
【技術分野】
【０００１】
本発明は、香をたく際に、香を支持して灰を受けるための香立に関する。
【背景技術】
【０００２】
近年、リラクゼーションのために香をたく人が増えている。香には種々の形状のものがあるが、中でも円錐形のものは、自立するため取り扱いが容易である。ただ、自立するとはいっても、直接卓上に置いてたくと、灰が卓上に落ちてしまうので、通常は、金属や陶器などの不燃素材で作られた皿形の香立の上に載せて使用する。
【発明の概要】
【発明が解決しようとする課題】
【０００３】
しかしながら、従来のように円錐形の香を皿形の香立に載せてたくと、何かの拍子で香が倒れたり、灰が香立からこぼれ落ちたりした場合に、火災につながる可能性があった。香のリラクゼーション効果のため、たいたまま眠ってしまうこともあり、そのような場合には特に危険であった。
【０００４】
本発明は、上記事情を鑑みたものであり、安全に香をたくことができる香立を提供することを目的とする。
【課題を解決するための手段】
【０００５】
本発明は、円形椀状で上側に向けて開口する椀部を有し、椀部の上端周縁の円周上に、複数の略三角形の装飾片を並べて形成してあり、椀部の中央に、略円錐形の香の底面部が係止する係止部を設けてあり、椀部と装飾片と係止部は、アルミニウム製で一体に形成してあり、水に浮かぶものであることを特徴とする。
【発明の効果】
【０００６】
本発明によれば、水に浮かべて香をたくことで、仮に香が倒れたり灰がこぼれ落ちたりしても、水中に落ちるため火災につながることはなく、安全であり、安心してたいたまま眠ることもできる。また、円形の椀部の周囲に三角形の装飾片を並べた形状は、全体として蓮の花を模したものとなっており、これが実際の蓮さながらに水に浮かんで揺らめく様子から、視覚的にもリラクゼーション効果が得られる。
【図面の簡単な説明】
【０００７】
【図１】香立の斜視図。
【図２】香立の縦断面図。
【図３】香立の使用状態を示す説明図。
【発明を実施するための形態】
【０００８】
本発明の香立の具体的な構成について、各図面に基づいて説明する。図１に示すように、この香立は、椀部１と、装飾片２と、係止部３とを備えるものである。椀部１は、円形椀状で、上側に向けて開口している。図１および図２に示すように、椀部１の中央には、円形平板状の底面１１を形成してあり、底面１１の周囲には、外周側上方に向かって広がり、外周側に向かって凸となるように湾曲した側面１２を形成してある。そして、椀部１（側面１２）の上端周縁は円形となり、この円周上に、８枚の装飾片２を並べて形成してある。装飾片２は、略三角形であって、各辺が外側に向かって膨らんだ形状となっており、これを並べて形成してあるので、椀部１の上端周縁はジグザグ状になっている。また、図２に示すように、装飾片２は、椀部１の側面１２と一連の形状となるように、外周側に向かって凸となるように湾曲している。この装飾片２は、花弁を模したものとなっており、香立全体として、蓮の花を模したものとなっている。さらに、椀部１の底面１１の上面の中央には、係止部３を形成してある。係止部３は、図１に示すように、リング状であって、図２に示すように、断面三角形状であり、その内径は、一般的な円錐形の香４の底面部が嵌まって係止できる大きさとなっている。そして、これらの椀部１、装飾片２および係止部３は、アルミニウム製で一体に形成してある。なお、ここで用いたのは、一般に純アルミニウムとよばれる、純度９９．５％以上のアルミニウムである。その大きさは、一例として、高さ１７ｍｍ、直径４０ｍｍ、厚さ０．３ｍｍとした。このように形成した香立は、椀部１の浮力により、水に浮かぶものとなっている。
【０００９】
この香立を使用する際には、図３に示すように、まず香立より大きな器５に水を張り、これに香立を浮かべる。そして、円錐形の香４の先端に火をつけ、底面部を香立の係止部３に嵌めるようにして、椀部１の底面１１に香４を自立させる。
【００１０】
このように、本発明の香立を水に浮かべて香をたくことで、仮に香が倒れたり灰がこぼれ落ちたりしても、水中に落ちるため火災につながることはなく、安全であり、安心してたいたまま眠ることもできる。また、円形の椀部の周囲に三角形の装飾片を並べた形状は、全体として蓮の花を模したものとなっており、これが実際の蓮さながらに水に浮かんで揺らめく様子から、視覚的にもリラクゼーション効果が得られる。さらに、全体がコンパクトに作られていて持ち運びに便利であり、また器と水があればどこでも使用できるので、旅行時に宿泊先の部屋で香をたくといったことも手軽にできる。その際、器としては、食器や灰皿など、香立より大きく水を張れるものであれば、どのようなものであってもよい。
【００１１】
本発明は、上記の実施形態に限定されない。たとえば、椀部、装飾片および係止部を形成する素材は、アルミニウムを主体とした合金であってもよい。また、係止部の断面形状は、三角形以外に、矩形や半円形などでもよい。さらに、椀部の底面を厚くして窪みを設け、香の底面部が嵌まるようにしたものを係止部としてもよい。また、香立全体の大きさや厚さは、特に限定されるものではないが、香の大きさは概ね決まっているので、小さすぎると灰がこぼれ落ちてしまい、大きすぎると無駄にスペースをとるだけで意味がないので、上記の実施形態程度の大きさが好ましい。なお、厚さについては、内周側を厚く、外周側を薄くするなど、場所によって変化するものであってもよい。さらに、装飾片の枚数も限定されるものではないが、６〜１０枚程度とすれば、最も蓮らしく見えるので好ましい。
【符号の説明】
【００１２】
１  椀部
２  装飾片
３  係止部
４  香
【図１】
2015008737.tif 000003
【図２】
2015008737.tif 000004
【図３】
2015008737.tif 000005
(57)【要約】【課題】  従来の植木鉢への底面給水方式では、鉢下部に水槽を設置して、土中から給水紐を垂らすか、ポンプを使っ水を循環させて鉢下部を間欠的に浸水させる生産農家方法が使われているが、前者では土中へ給水紐を埋め込まなければならないし、後者では設備費が高く、水を循環させるため、伝染病の発生で一気に全体をダメにする恐れもある。【解決手段】  従来の樹脂製植木鉢に於いて、床面に接触する周辺部の排水底穴の断面を、上部に向って概ね４５度程度のテーパーをつけて漏斗状とし、鉢を吸水シート上に置いただけで底面吸水できる形状とした。【選択図】図１
2015008723.tif 000002
【特許請求の範囲】
【請求項１】
従来の樹脂製植木鉢に於いて、床面に接触する周辺部の排水底穴の断面を、上部に向って概ね４５度程度のテーパーをつけて漏斗状とした底面接触給水鉢。
【請求項１】
底穴周りを、底穴の設けられている周辺より幾分下部へ突出させた請求項１記載の底面接触給水鉢。
【発明の詳細な説明】
【技術分野】
【０００１】  本発明は、吸水シート上に置いただけで底面給水させるための植木鉢である。
【発明の概要】
【発明が解決しようとする課題】
【０００２】  底面給水方式は、植木の必要分だけ給水できるので合理的だ。従来の植木鉢への底面給水方式には、鉢下部に水槽を設置して、土中から給水紐を垂らすか、ポンプを使って水を循環させ、鉢下部を間欠的に浸水させる生産農家方法が使われている。【０００３】  前者では土中へ給水紐を埋め込まなければならないし、生産時も下部に紐を垂らせる水槽を置く必要があり、長期間使うと紐に目詰まりを生ずる恐れもある。後者では設備費が高く、水を循環させるため、伝染病の発生で一気に全体をダメにする恐れもあり、水面センサーの誤動作もあるようだし、必要以上の肥料も必要になる。
【課題を解決するための手段】
【０００４】  従来の樹脂製植木鉢に於いて、床面に接触する周辺部の排水底穴の断面を、上部に向って概ね４５度程度のテーパーをつけて漏斗状とした。さらに、底穴周りを、底穴の設けられている周辺より幾分下部へ突出させておくと、吸水シートに食い込み易くなり、漏斗状部分が深くなるので、より効果が確実となる。
【発明の効果】
【０００５】  吸水シート上に置いて使用するが、底穴が下に向って狭くなっているので、土が穴内で競り合って、土のアーチができる部分が低くなるので、土が吸水シートに接触し易くなる。防根透水シートを使っても十分に給水ができる。従来の底穴では水は全く吸い上げられない。【０００６】  植木鉢を吸水シート上に載せただけで給水できるので、鉢下部を浸水させたり、給水紐を使う必要が無くなり、電子調理器的感覚で使用できる。従って、個人ユーザーに重宝だが、生産農家の省力効果も大きくなると考えられる。【０００７】  鉢底部から給水させるので、鉢下部を浸水させる方法に比べ、鉢中央部は通気状態となるので、植木にも好結果となることが予想される。【０００８】  給水紐を使う場合は、長期に使うと目詰まりを起こす恐れもあるが、この鉢なら土に直接給水するし、複数の穴から給水するから、その恐れは少ない。【０００９】  従来の鉢と基本的には変わらないから、日常は直接手動給水したい人は、長期外出時のみ自動給水として底面給水機能を使えばよい。また、底穴の形状を僅かに変えただけだから、製造コストは従来の鉢と変わらない。
【図面の簡単な説明】
【００１０】
【図１】  本発明の植木鉢断面図（半分）
【図２】  従来の植木鉢断面図（半分）
【発明を実施するための形態】
【００１１】  この鉢を使うには、吸水シートに水分を継続的に供給できるベッドが必要だが、そのための手段については特許請求範囲外である。
【符号の説明】
【００１２】  １  植木鉢
２  漏斗状の底穴
３  従来の底穴
４  周辺より幾分下部へ突出
【図１】
2015008723.tif 000003
【図２】
2015008723.tif 000004
(57)【要約】【課題】  友釣り用アユを素人の方でも、女性でも簡単に友釣りを行うことができ、周囲のアユからの攻撃に対して保護することができるため長時間泳がせることができる友釣り用アユ入れ容器を実現すること。【解決手段】友釣り用アユを入れる保持容器において、上下内方向に押圧することにより少なくとも両側の一方が開口する開口部を設けてなること。【選択図】図１
2015008725.tif 000002
【特許請求の範囲】
【請求項１】
友釣り用アユを入れる保持容器において、上下内方向に押圧することにより少なくとも両側の一方が開口する開口部を設けてなることを特徴とする友釣り用アユ入れ容器。
【請求項２】
保持容器が、２つに分割されてなる容器本体を組み合わせてなり、内部に水が流入すべく流入口を設けてなることを特徴とする請求項１記載の友釣り用アユ入れ容器。
【請求項３】
保持容器が友釣り用アユが中で反転しないよう幅寸法を６０ｍｍ以下とすることを特徴とする請求項１又は２記載の友釣り用アユ入れ容器。
【請求項４】
保持容器に、重りを設けてなることを特徴とする請求項１、２又は３記載の友釣り用アユ入れ容器。
【請求項５】
保持容器に、釣糸を取り付ける釣糸取付部を設けてなることを特徴とする請求項１、２、３又は４記載の友釣り用アユ入れ容器。
【発明の詳細な説明】
【技術分野】
【０００１】  本発明は、友釣り用アユを保持容器に入れ、弱らせることなく友釣りができる友釣り用アユ入れ容器に関するものである。
【背景技術】
【０００２】  従来の技術としては、保護具の内側を中空にした円錐形を形成し、これに軸ボルトを貫設し、それぞれ重量の異なる、おもりを軸ボルトへ着脱自在に挿着し、ナットで固定して糸孔を介して道糸に繋ぐものがある。（特許文献１参照）【０００３】  また、別の従来技術として、長細状で側面に通水孔を穿設すると共に開口部を有してなる上蓋本体の先端上面を湾曲状で頭部保護片を形成し、当該上蓋本体の頭部保護片中央長手に沿って仕掛糸通を可能とする仕切溝を設けると共に内容器を嵌合し休息器本体を形成したことを特徴とする友釣り用おとり鮎休息器がある。（特許文献２参照）
【先行技術文献】
【特許文献】
【０００４】
【特許文献１】  実開平６−７０５６８号公報
【特許文献２】  実公平７−４５１８４号公報
【発明の概要】
【０００５】  上記前者のものは、円錐形の保護具で友釣り用アユを弱らせないとのことですが、従来と同様に友釣り用アユにハナカンを付けており、やはり弱ってしまい易い。
【０００６】  また、上記後者においては、友釣り用アユを水中にて休息させるためのもので本発明とは目的や機能が異なるものである。
【０００７】  本発明は、このような従来の構成が有していた問題を解決しようとするもので、友釣り用アユを素人の方でも、女性でも簡単に友釣りを行うことができ、周囲の野アユからの攻撃に対して保護することができるため長時間泳がせることができる友釣り用アユ入れ容器を実現することを目的とする。
【課題を解決するための手段】
【０００８】  本発明は、上記目的を達成するため、友釣り用アユを入れる保持容器において、上下内方向に押圧することにより少なくとも両側の一方が開口する開口部を設けてなること。保持容器が、２つに分割されてなる容器本体を組み合わせてなり、内部に水が流入すべく流入口を設けてなること。保持容器が友釣り用アユが中で反転しないよう幅寸法を６０ｍｍ以下とすること。保持容器に、重りを設けてなること。保持容器に、釣糸を取り付ける釣糸取付部を設けてなることを特徴とするものである。
【発明の効果】
【０００９】１）、容器本体の両側の開口部を上下方向より押圧して開口させることにより、友釣り用アユを出し入れでき、友釣り用アユを弱らせることなく、長時間泳がせることができ、野アユを引っ掛けて釣ることができる。
２）、容器本体は容易に組み立てることができ、流入口により友釣り用アユに十分な水（酸素）を取り入れられ、体力を保持できる。
３）、保持容器の幅を６０ｍｍ以下とすることにより、中で反転することなく泳がせることができる。
４）、重りにより、水流や深さに対応できる。
５）、釣糸取付部により、従来の友釣り用アユに直接釣糸を付けないため、友釣り用アユは弱りにくい。
【図面の簡単な説明】
【００１０】
【図１】  本発明の一実施例を示す友釣り用アユ入れ容器の斜視図。
【図２】  本発明の一実施例を示す友釣り用アユ入れ容器の平面図。
【図３】  本発明の一実施例を示す友釣り用アユ入れ容器の側面図。
【図４】  本発明の一実施例を示す友釣り用アユ入れ容器の使用状態図１。
【図５】  本発明の一実施例を示す友釣り用アユ入れ容器の使用状態図２。
【発明を実施するための形態】
【００１１】１は、友釣り用アユ入れ容器である。
２は、友釣り用アユを入れる平面流線の保持容器で、２つに分割されてなる容器本体２ａを組み合わせてなるもので、両側に上下内方向に押圧することにより開口する開口部３・３を設けると共に、全体をメッシュ状に形設し、水の流入口２ｂ―――を形成してある。
また、幅寸法Ｈを６０ｍｍ以下とするのが望ましい。
４は、釣糸を取り付ける釣糸取付部である。
５は、釣るための野アユを引っ掛ける引っ掛け針を取り付ける引掛取付部である。
【００１２】  友釣り用アユ入れ容器１について説明する。
まず、釣糸取付部４に竿Ｓに設けた釣糸Ｔを結び付け、引掛取付部５に引っ掛け針ＨＫを取り付ける。
その後、後方の開口部３を上下内方向に押圧して開口して、中に、友釣り用アユＡを入れる。
この状態で、野アユのいる川（ポイント）へ投げ込み、泳がせることにより野アユＮＡを引っ掛け針ＨＫにて引っ掛けて釣ることができるものである。
なお、友釣り用アユＡの取り替えにおいては、前方の開口部３を上下内方向に押圧し、開口して、中の友釣り用アユＡを取り出すことができる。
【００１３】  上記友釣り用アユ入れ容器の材質は、特に限定するものではない。
また、釣糸取付部の位置や引掛取付部の数等、必要に応じて決めればよい。
さらに、必要であれば重りを設けてもよい。
さらにまた、保持容器は開口部を残し、一体に形成した状態でもよい。
なお、容器本体を大きくし、釣った野アユの入れ物としての用途も考えられる。
【符号の説明】
【００１４】１―――友釣り用アユ入れ容器
２―――保持容器
３―――開口部
４―――釣糸取付部
５―――引掛取付部
Ｈ―――幅寸法
Ａ―――友釣り用アユ
Ｔ―――釣糸
ＨＫ――引っ掛け針
ＮＡ――野アユ
【図１】
2015008725.tif 000003
【図２】
2015008725.tif 000004
【図３】
2015008725.tif 000005
【図４】
2015008725.tif 000006
【図５】
2015008725.tif 000007